(57)【要約】  ドラム式洗濯機が、水槽（２０）と、ドラム（３０）と、給水部（４１）と、洗剤ケース（４２）と、第１給水路（４３１）と、第２給水路（４３２）と、給水経路（４３）を第１給水路（４３１）または第２給水路（４３２）に切り換え可能な給水切換部（４４）と、最終すすぎ工程において、給水部（４１）から第１給水路（４３１）を介して水槽（２０）の内部に水が供給された後、給水経路（４３）を第１給水路（４３１）から第２給水路（４３２）に切り換えて、給水部（４１）から第２給水路（４３２）を介して水槽（２０）の内部に水を供給するように給水部（４１）および給水切換部（４４）を制御する仕上げ剤投入制御部（１０１）と、を備える。
2019043972.tif 000002
【特許請求の範囲】
【請求項１】
水槽と、
上記水槽の内部に回転可能に配置され、洗濯物が収容されるドラムと、
外部から水が供給される給水部と、
洗剤を収容可能な第１収容部と、上記第１収容部とは独立して設けられて仕上げ剤を収容可能な第２収容部とを有する洗剤ケースと、
上記第１収容部を介して上記給水部および上記水槽の内部に接続されて、上記給水部から供給された水が上記第１収容部を介して上記水槽の内部に流れる第１給水路と、
上記第２収容部を介して上記給水部および上記水槽の内部に接続されて、上記給水部から供給された水が上記第２収容部を介して上記水槽の内部に流れる第２給水路と、
上記給水部から供給された水を上記水槽の内部に供給する給水経路を上記第１給水路または上記第２給水路に切り換え可能な給水切換部と、
最終すすぎ工程において、上記給水部から上記第１給水路を介して上記水槽の内部に水が供給された後、上記給水経路を上記第１給水路から上記第２給水路に切り換えて、上記給水部から上記第２給水路を介して上記水槽の内部に水を供給するように上記給水部および上記給水切換部を制御する仕上げ剤投入制御部と
を備える、ドラム式洗濯機。
【請求項２】
請求項１のドラム式洗濯機において、
上記仕上げ剤投入制御部は、
上記第１給水路を介した上記水槽の内部への水の供給が開始されたときから予め定められた時間が経過したときに、上記給水経路を上記第１給水路から上記第２給水路に切り換えて、上記第２給水路を介した上記水槽の内部への水の供給を開始する、ドラム式洗濯機。
【請求項３】
請求項１または２のドラム式洗濯機において、
上記水槽の内部の水を外部に排水する排水経路と、
上記排水経路と上記水槽の内部とに接続された循環経路と、
上記循環経路に配置されて、上記水槽の内部から上記排水経路に流れた水を上記水槽の内部に戻して循環させる循環ポンプと
をさらに備える、ドラム式洗濯機。
【発明の詳細な説明】
【援用記載】
【０００１】
本出願は、２０１７年８月３１日に出願された日本出願の特願２０１７−１６７３８４に対して優先権の利益を主張するものであり、その日本出願に記載された全ての記載内容を援用するものである。
【技術分野】
【０００２】
この発明は、ドラム式洗濯機に関する。
【背景技術】
【０００３】
特許文献１には、液体柔軟剤を収容する液体柔軟剤収容部と、液体柔軟剤収容部内の液体柔軟剤を含む液体を給水経路を介して水槽内に供給する洗剤液供給路とを備えたドラム式洗濯機が開示されている。
【先行技術文献】
【特許文献】
【０００４】
【特許文献１】特開２０１７−５５９４６号公報
【発明の概要】
【発明が解決しようとする課題】
【０００５】
上記ドラム式洗濯機では、すすぎ工程において、水槽内への給水と同時に、液体柔軟剤を含む液体が水槽内に供給される。このため、液体柔軟剤を含む液体が、水槽の底部の排水管に流れ込んで衣類に付着することなく沈殿してしまい、液体柔軟剤の衣類に対する付着効率が低下する場合がある。【０００６】
そこで、本発明の課題は、仕上げ剤の衣類に対する付着効率を高めることができるドラム式洗濯機を提供することにある。
【課題を解決するための手段】
【０００７】
本発明の一態様のドラム式洗濯機は、
水槽と、
上記水槽の内部に回転可能に配置され、洗濯物が収容されるドラムと、
外部から水が供給される給水部と、
洗剤を収容可能な第１収容部と、上記第１収容部とは独立して設けられて仕上げ剤を収容可能な第２収容部とを有する洗剤ケースと、
上記第１収容部を介して上記給水部および上記水槽の内部に接続されて、上記給水部から供給された水が上記第１収容部を介して上記水槽の内部に流れる第１給水路と、
上記第２収容部を介して上記給水部および上記水槽の内部に接続されて、上記給水部から供給された水が上記第２収容部を介して上記水槽の内部に流れる第２給水路と、
上記給水部から供給された水を上記水槽の内部に供給する給水経路を上記第１給水路または上記第２給水路に切り換え可能な給水切換部と、
最終すすぎ工程において、上記給水部から上記第１給水路を介して上記水槽の内部に水が供給された後、上記給水経路を上記第１給水路から上記第２給水路に切り換えて、上記給水部から上記第２給水路を介して上記水槽の内部に水を供給するように上記給水部および上記給水切換部を制御する仕上げ剤投入制御部と
を備える。
【発明の効果】
【０００８】
上記態様のドラム式洗濯機によれば、最終すすぎ工程において、給水部から第１給水路を介して水槽の内部に水が供給された後、給水経路を第１給水路から第２給水路に切り換えて、給水部から第２給水路を介して水槽の内部に水を供給する。すなわち、水槽の内部に、仕上げ剤を含まない水の供給が行われた後で、仕上げ剤を含む水の供給が行われる。これにより、仕上げ剤を水槽の底部に沈殿させることなく、水槽の内部に供給された水に含ませることができるので、仕上げ剤の衣類への付着量を増加させることができる。
【図面の簡単な説明】
【０００９】
【図１】本発明の第１実施形態のドラム式洗濯機の斜視図。
【図２】図１のII-II線に沿った断面図。
【図３】図１のドラム式洗濯機の制御ブロック図。
【図４】図１のドラム式洗濯機の変形例を説明するためのタイミングチャート。
【発明を実施するための形態】
【００１０】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１１】
（第１実施形態）
本発明の第１実施形態のドラム式洗濯機１は、図１に示すように、外箱１０を備えている。この外箱１０の内部には、図２に示すように、水槽２０と、この水槽２０の内部に配置されたドラム３０と、給水装置４０とが設けられている。この給水装置４０は、給水部４１と、洗剤ケース４２と、洗剤ケース４２を介して給水部４１および水槽２０の内部に接続された給水経路４３と、給水経路４３に設けられた給水切換部の一例の給水弁４４とで構成されている。
【００１２】
外箱１０は、図１に示すように、一例として略直方体状で、前面に設けられた開口部１１と、この開口部１１を開閉可能に取り付けられたドア１２と、操作表示部１３とを有している。ドア１２は、その一部がガラス等の透明部材で構成されて、ドラム３０の内部を視認できるようになっている。また、操作表示部１３は、電源入／切キー、運転内容を選択して決定するための複数の選択キー（例えば、洗濯コース選択キー、スタートキー等）、および、選択キーによって選択された運転内容を表示する表示部等を有している。
【００１３】
水槽２０は、図２に示すように、有底の筒形状を有し、その底部に、外箱１０の内部でかつ水槽２０の下側に配置されているサスペンション１４が接続され、このサスペンション１４を介して外箱１０に弾性支持されている。この水槽２０には、外箱１０の開口部１１に対向するように配置された開口部２１と、水槽２０の内部の洗濯水等を外部に排水する排水口２２が設けられている。また、水槽２０の開口部２１に対向する外部には、ドラム３０を回転させるメインモータ３３が設けられている。
【００１４】
ドラム３０は、図２に示すように、その内部に洗濯物１１０を収容可能な有底の筒形状を有し、回転軸９０周りに回転可能に水槽２０に支持されている。このドラム３０には、外箱１０の開口部１１および水槽２０の開口部２１に対向する開口部３１が設けられている。ドラム３０の周壁には、全域に亘って、複数の貫通孔３２（図２においては６個のみを代表的に図示）が設けられている。この貫通孔３２を介して、水槽２０およびドラム３０の間の空間とドラム３０の内部空間との間で、洗濯処理剤（洗剤、柔軟剤、漂白剤等）、水、および、空気が流通するようになっている。
【００１５】
給水装置４０は、図２に示すように、水槽２０の上部（すなわち、図２の上部）に配置されている。給水部４１は、外箱１０の後面側（すなわち、図２の右側）に配置され、ドラム式洗濯機１の外部（例えば、水道の蛇口）に接続されて水（例えば、水道水）が供給されるようになっている。また、洗剤ケース４２は、外箱１０の前面側（すなわち、図２の左側）に配置され、洗剤を収容可能な第１収容部４２１と、第１収容部４２１とは独立して設けられて仕上げ剤を収容可能な第２収容部４２２とを有している。
【００１６】
給水経路４３は、給水部４１から供給された水を水槽２０の内部に供給可能に構成されている。詳しくは、給水経路４３は、図２に示すように、第１給水路４３１と第２給水路４３２とを有している。第１給水路４３１は、洗剤ケース４２の第１収容部４２１を介して給水部４１および水槽２０の内部に接続されて、矢印Ａで示すように、給水部４１から供給された水が第１収容部４２１を介して水槽２０の内部に流れる。また、第２給水路４３２は、洗剤ケース４２の第２収容部４２２を介して給水部４１および水槽２０の内部に接続されて、矢印Ｂで示すように、給水部４１から供給された水が第２収容部４２２を介して水槽２０の内部に流れる。
【００１７】
給水弁４４は、給水経路４３を第１給水路４３１または第２給水路４３２に切り替え可能に構成されている。詳しくは、給水弁４４は、給水経路４３の給水部４１と洗剤ケース４２との間に配置され、第１給水路４３１および第２給水路４３２の何れか一方あるいは両方を開閉可能に構成されている。
【００１８】
また、外箱１０の内部には、排水装置５０が設けられている。この排水装置５０は、水槽２０の下側に配置されて、水槽２０の排水口２２と外箱１０の外部とに接続された排水経路５１と、排水経路５１に設けられたフィルタケース５２および排水弁５３とを有している。
【００１９】
排水経路５１は、排水口２２とフィルタケース５２とに接続された排水ダクト５４と、フィルタケース５２と外箱１０の外部に接続された排水ホース５５とを有し、水槽２０の内部の水を外箱１０の外部に排水可能に構成されている。
【００２０】
フィルタケース５２は、その内部に設けられた樹脂製または金属製のリントフィルタ５６と、フィルタケース５２と一体に設けられたエアトラップ５７とを有している。リントフィルタ５６は、フィルタケース５２を通過する洗濯水から糸屑等の異物を除去する。また、エアトラップ５７には、導圧パイプ５８が接続されており、この導圧パイプ５８を介して、水位センサ６１（図３に示す）が接続されている。
【００２１】
排水弁５３は、排水ホース５５のフィルタケース５２の近い側の端部に配置され、排水用モータ（図示せず）により開閉可能に構成されている。この排水弁５３を開放することで、水槽２０の内部の水が、排水経路を介して外箱１０の外部に排水される。
【００２２】
水位センサ６１は、コイルと、エアトラップ５７の内部の空気圧の変化に応じてコイルの内部を移動する磁性体とを有し、水槽２０の排水口２２よりも高い位置に配置されている。この水位センサ６１は、磁性体の位置によって生ずるコイルのインダクタンスを発振周波数として検出し、検出された発振周波数に基づいて、水槽２０の内部の水位を検出する。
【００２３】
また、外箱１０の内部の水槽２０の下側には、フィルタケース５２と水槽２０の開口部２１の上部とに接続され、水槽２０の内部の洗濯水を循環させる循環経路７０が設けられている。この循環経路７０には、水槽２０の排水口２２から排水経路５１に流れた洗濯水を再び水槽２０の内部に戻して循環させる循環ポンプ７１（図３に示す）が設けられている。
【００２４】
なお、外箱１０の内部には、回転速度センサ６２、電圧センサ６３、加速度センサ６４、ヒートポンプユニット８１、および、送風ファン８２等が設けられている。回転速度センサ６２は、ドラム３０の回転速度を検出する。電圧センサ６３は、メインモータ３３の電圧を検出する。加速度センサ６４は、ドラム３０に設けられ、ドラム３０の回転軸９０に平行な方向および垂直な方向の加速度を検出する。
【００２５】
また、ドラム式洗濯機１は、図３に示すように、演算等を行うＣＰＵ、および、入出力回路等からなる制御装置１００を備えている。
【００２６】
制御装置１００は、操作表示部１３、水位センサ６１、回転速度センサ６２、電圧センサ６３、および、加速度センサ６４から入力された信号に基づいて、操作表示部１３、給水弁４４、排水弁５３、循環ポンプ７１、メインモータ３３、ヒートポンプユニット８１、および、送風ファン８２を駆動させる。
【００２７】
ドラム式洗濯機１には、複数の運転コース（例えば、洗濯コース、洗濯乾燥コースおよびドライコース）が設けられている。複数の運転コースは、操作表示部１３を介して選択可能になっている。制御装置１００は、選択された運転コースに応じて、メインモータ３３、給水弁４４、排水弁５３、ヒートポンプユニット８１、および、送風ファン８２等を制御する。なお、洗濯コースには、例えば、洗い工程、すすぎ工程および脱水工程が含まれている。
【００２８】
また、制御装置１００は、仕上げ剤投入制御部１０１を有している。仕上げ剤投入制御部１０１は、ＣＰＵが所定のプログラムを実行することにより実現される機能である。
【００２９】
仕上げ剤投入制御部１０１は、最終すすぎ工程において、給水部４１から第１給水路４３１を介して水槽２０の内部に水を供給した後、給水経路４３を第１給水路４３１から第２給水路４３２に切り換えて、給水部４１から第２給水路４３２を介して水槽２０の内部に水を供給するように、給水部４１および給水弁４４を制御する。
【００３０】
例えば、仕上げ剤投入制御部１０１は、最終すすぎ工程において、給水部４１から第１給水路４３１を介した水槽２０の内部への水の供給が開始されたときから第１時間ｔ１（例えば、１２秒）が経過したときに、給水弁４４を制御して、給水経路４３を第１給水路４３１から第２給水路４３２に切り換えて、第２給水路４３２を介した水槽２０の内部への水の供給を開始する。
【００３１】
第２給水路４３２を介した水槽２０の内部への水の供給が開始されたときから第２時間ｔ２（例えば、１０秒）が経過すると、仕上げ剤投入制御部１０１は、給水弁４４を制御して、第２給水路４３２を介した水槽２０の内部への水の供給を停止する。そして、第２給水路４３２を介した水槽２０の内部への水の供給が停止されたときから第３時間ｔ３（例えば、１０秒間）が経過したときに、仕上げ剤投入制御部１０１は、再び第２給水路４３２を介した水槽２０の内部への水の供給を開始する。この２回目の第２給水路４３２を介した水槽２０の内部への水の供給は、２回目の第２給水路４３２を介した水槽２０の内部への水の供給が開始されたときから第４時間ｔ４（例えば、５５秒）が経過するまで行われる。
【００３２】
２回目の第２給水路４３２を介した水槽２０の内部への水の供給が開始されたときから第４時間ｔ４が経過すると、仕上げ剤投入制御部１０１は、水位センサ６１により検出された水槽２０の内部の水位に基づいて、水槽２０の内部の水位が予め設定された水位であるか否かを判定する。水槽２０の内部の水位が予め設定された水位であると判定された場合、仕上げ剤投入制御部１０１は、給水弁４４を制御して、第２給水路４３２を介した水槽２０の内部への水の供給を停止させる。一方、水槽２０の内部の水位が予め設定された水位ではない判定された場合、仕上げ剤投入制御部１０１は、水槽２０の内部の水位が予め設定された水位であると判定されるまで、第２給水路４３２を介した水槽２０の内部への水の供給を行う。
【００３３】
なお、最終すすぎ工程は、すすぎ工程が１回のみ行われる場合は、行われるそのすすぎ工程であり、すすぎ工程が複数回行われる場合は、複数回行われるすすぎ工程のうちの最後のすすぎ工程である。
【００３４】
例えば、最終すすぎ工程において、第１給水路４３１を介した水槽２０の内部への水の供給を行わないで、第２給水路４３２を介した水槽２０の内部への水の供給を行った場合、最初に水槽２０の内部に供給された仕上げ剤を含む水は、排水経路５１に流れ込み、洗濯物１１０に付着することなく排水ダクト５４等に沈殿してしまう場合がある。この場合、ユーザが意図する量の仕上げ剤を洗濯物１１０に付着させるためには、本来必要な仕上げ剤の量よりも多くの量の仕上げ剤を投入しなければならなくなる。
【００３５】
第１実施形態のドラム式洗濯機１では、最終すすぎ工程において、給水部４１から第１給水路４３１を介して水槽２０の内部に水が供給された後、給水経路４３を第１給水路から第２給水路に切り換えて、給水部から第２給水路を介して水槽の内部に水を供給する。すなわち、水槽２０の内部に、仕上げ剤を含まない水の供給が行われた後で、仕上げ剤を含む水の供給が行われる。これにより、仕上げ剤を水槽２０の底部に沈殿させることなく、水槽２０の内部に供給された水に含ませることができるので、仕上げ剤の衣類に対する付着効率を高めることができる。
【００３６】
また、第１給水路４３１を介した水槽２０の内部への水の供給が開始されたときから予め定められた時間（すなわち、第１時間ｔ１）が経過したときに、給水経路４３を第１給水路４３１から第２給水路４３２に切り換えて、第２給水路４３２を介した水槽２０の内部への水の供給を開始する。これにより、簡単な構成で、仕上げ剤の衣類に対する付着効率を高めることができる。
【００３７】
また、水槽２０の内部の水を外部に排水する排水経路５１と、排水経路５１と水槽２０の内部とに接続された循環経路７０と、循環経路７０に配置されて、水槽２０の内部から排水経路５１に流れた水を水槽２０の内部に戻して循環させる循環ポンプ７１とをさらに備えている。例えば、最終すすぎ工程において、循環ポンプ７１を制御して、水槽２０の内部から排水経路５１に流れた水を水槽２０の内部に戻して循環させることで、仕上げ剤を水槽２０の底部に沈殿させることなく、水槽２０の内部に供給された水により確実に含ませることができる。その結果、仕上げ剤の衣類に対する付着効率をより高めることができる。
【００３８】
（第２実施形態）
第１実施形態のドラム式洗濯機１では、１つの給水弁４４で、第１給水路４３１と第２給水路４３２とを切り換えているが、これに限らない。例えば、第１給水路４３１および第２給水路４３２のそれぞれに給水弁を設けてもよい。第１給水路４３１に設けた給水弁をメイン給水弁とし、第２給水路４３２に設けた給水弁をサブ給水弁とすると、最終すすぎ工程では、仕上げ剤投入制御部１０１は、メイン給水弁およびサブ給水弁を図４に示すようにオン／オフ制御する。これにより、給水部４１から第１給水路４３１を介して水槽２０の内部に水が供給された後、給水経路４３を第１給水路４３１から第２給水路４３２に切り換えて、給水部４１から第２給水路４３２を介して水槽２０の内部に水が供給される。
【００３９】
（第３実施形態）
第１実施形態のドラム式洗濯機１では、第１給水路４３１を介した水槽２０の内部への水の供給が開始されたときから予め定められた時間が経過したときに、給水経路４３を第１給水路４３１から第２給水路４３２に切り換えているが、これに限らない。例えば、水位センサ６１により検出された水槽２０の内部の水位により、給水経路４３を第１給水路４３１から第２給水路４３２に切り換えてもよいし、第１給水路４３１を介した水槽２０の内部への水の供給が開始されたときから予め設定された水量（例えば、２リットル）が水槽２０の内部に供給されたときに、給水経路４３を第１給水路４３１から第２給水路４３２に切り換えてもよい。
【００４０】
（第４実施形態）
第１実施形態のドラム式洗濯機１では、排水経路５１と水槽２０の内部とに接続された循環経路７０と、循環経路７０に配置されて、水槽２０の内部から排水経路５１に流れた水を水槽２０の内部に戻して循環させる循環ポンプ７１とを備えているが、これに限らない。循環経路７０および循環ポンプ７１は、ドラム式洗濯機１の設計等に応じて省略することができる。
【００４１】
ここで、上記第１実施形態のドラム式洗濯機１（循環経路７０および循環ポンプ７１あり）および上記第４実施形態のドラム式洗濯機１（循環経路７０および循環ポンプ７１なし）について、最終すすぎ工程において、第１給水路を介した水槽の内部への水の供給を行った後、第２給水路を介した水槽の内部への水の供給を行った場合の仕上げ剤の付着量と、最終すすぎ工程において、第１給水路４３１を介した水槽２０の内部への水の供給を行わないで、第２給水路４３２を介した水槽２０の内部への水の供給を行った場合の仕上げ剤の付着量とを測定した。
【００４２】
（測定条件）
・洗濯物１１０として、２ｋｇのＪＩＳ布＋新品タオル５枚を用いた。
・洗剤は使用しなかった。
・仕上げ剤として、市販の柔軟剤を１２ｍｌ使用した。
・洗濯物１１０をドラム３０に収容し、洗濯コース（標準）で１サイクル運転を行い、洗濯コース終了後に、各タオルの仕上げ剤の付着量を測定した。仕上げ剤の付着量の測定は、各タオルの臭気を測定することにより行った。
・各タオルの臭気は、（１）洗濯コース終了直後、（２）自然乾燥させた場合、（３）ヒートポンプユニット８１を用いて乾燥させた場合について測定した。（２）および（３）については、乾燥させたタオルを擦って臭気を測定した。
【００４３】
第１実施形態のドラム式洗濯機１（循環経路７０および循環ポンプ７１あり）では、次の結果が得られた。すなわち、最終すすぎ工程において、第１給水路４３１を介した水槽２０の内部への水の供給を行わないで、第２給水路４３２を介した水槽２０の内部への水の供給を行った場合の仕上げ剤の付着量（臭気）を１とした場合、第１給水路を介した水槽の内部への水の供給を行った後、第２給水路を介した水槽の内部への水の供給を行った場合の仕上げ剤の付着量（臭気）は、（１）洗濯コース終了直後では、１．０倍であったものの、（２）自然乾燥させた場合では、２．１倍、（３）ヒートポンプユニット８１を用いて乾燥させた場合では、１．７倍であった。
【００４４】
また、第４実施形態のドラム式洗濯機１（循環経路７０および循環ポンプ７１なし）では、次の結果が得られた。すなわち、最終すすぎ工程において、第１給水路４３１を介した水槽２０の内部への水の供給を行わないで、第２給水路４３２を介した水槽２０の内部への水の供給を行った場合の仕上げ剤の付着量（臭気）を１とした場合、第１給水路を介した水槽の内部への水の供給を行った後、第２給水路を介した水槽の内部への水の供給を行った場合の仕上げ剤の付着量（臭気）は、（１）洗濯コース終了直後では、１．７倍であり、（２）自然乾燥させた場合では、２．１倍であり、（３）ヒートポンプユニット８１を用いて乾燥させた場合では、２．０倍であった。
【００４５】
測定の結果から、最終すすぎ工程において、第１給水路を介した水槽の内部への水の供給を行った後、第２給水路を介した水槽の内部への水の供給を行うことで、仕上げ剤の衣類に対する付着効率が高まることが分かった。また、循環経路７０および循環ポンプ７１を備えていないドラム式洗濯機１においては、仕上げ剤の衣類に対する付着効率がさらに高まることが分かった。
【００４６】
以上、図面を参照して本発明における種々の実施形態を詳細に説明したが、最後に、本発明の種々の態様について説明する。
【００４７】
本発明の一実施形態のドラム式洗濯機１は、
水槽２０と、
上記水槽２０の内部に回転可能に配置され、洗濯物１１０が収容されるドラム３０と、
外部から水が供給される給水部４１と、
洗剤を収容可能な第１収容部４２１と、上記第１収容部４２１とは独立して設けられて仕上げ剤を収容可能な第２収容部４２２とを有する洗剤ケース４２と、
上記第１収容部４２１を介して上記給水部４１および上記水槽２０の内部に接続されて、上記給水部４１から供給された水が上記第１収容部４２１を介して上記水槽２０の内部に流れる第１給水路４３１と、
上記第２収容部４２２を介して上記給水部４１および上記水槽２０の内部に接続されて、上記給水部４１から供給された水が上記第２収容部４２２を介して上記水槽２０の内部に流れる第２給水路４３２と、
上記給水部４１から供給された水を上記水槽２０の内部に供給する給水経路４３を上記第１給水路４３１または上記第２給水路４３２に切り換え可能な給水切換部４４と、
最終すすぎ工程において、上記給水部４１から上記第１給水路４３１を介して上記水槽２０の内部に水が供給された後、上記給水経路４３を上記第１給水路４３１から上記第２給水路４３２に切り換えて、上記給水部４１から上記第２給水路４３２を介して上記水槽２０の内部に水を供給するように上記給水部４１および上記給水切換部４４を制御する仕上げ剤投入制御部１０１と
を備える。
【００４８】
上記実施形態のドラム式洗濯機１によれば、最終すすぎ工程において、給水部４１から第１給水路４３１を介して水槽２０の内部に水が供給された後、給水経路４３を第１給水路から第２給水路に切り換えて、給水部から第２給水路を介して水槽の内部に水を供給する。すなわち、水槽２０の内部に、仕上げ剤を含まない水の供給が行われた後で、仕上げ剤を含む水の供給が行われる。これにより、仕上げ剤を水槽２０の底部に沈殿させることなく、水槽２０の内部に供給された水に含ませることができるので、仕上げ剤の衣類に対する付着効率を高めることができる。
【００４９】
また、一実施形態のドラム式洗濯機１は、
上記仕上げ剤投入制御部１０１は、
上記第１給水路４３１を介した上記水槽２０の内部への水の供給が開始されたときから予め定められた時間ｔ１が経過したときに、上記給水経路４３を上記第１給水路４３１から上記第２給水路４３２に切り換えて、上記第２給水路４３２を介した上記水槽２０の内部への水の供給を開始する。
【００５０】
上記実施形態のドラム式洗濯機１によれば、簡単な構成で、仕上げ剤の衣類に対する付着効率を高めることができる。
【００５１】
また、一実施形態のドラム式洗濯機１は、
上記水槽２０の内部の水を外部に排水する排水経路５１と、
上記排水経路５１と上記水槽２０の内部とに接続された循環経路７０と、
上記循環経路７０に配置されて、上記水槽２０の内部から上記排水経路５１に流れた水を上記水槽２０の内部に戻して循環させる循環ポンプ７１と
をさらに備える。
【００５２】
上記実施形態のドラム式洗濯機１によれば、例えば、最終すすぎ工程において、循環ポンプ７１を制御して、水槽２０の内部から排水経路５１に流れた水を水槽２０の内部に戻して循環させることで、仕上げ剤を水槽２０の底部に沈殿させることなく、水槽２０の内部に供給された水により確実に含ませることができる。その結果、仕上げ剤の衣類に対する付着効率をより高めることができる。
【００５３】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【符号の説明】
【００５４】
１  ドラム式洗濯機
１０  外箱
１１  開口部
１２  ドア
１３  操作表示部
１４  サスペンション
２０  水槽
２１  開口部
２２  排水口
３０  ドラム
３１  開口部
３２  貫通孔
３３  メインモータ
４０  給水装置
４１  給水部
４２  洗剤ケース
４２１  第１収容部
４２２  第２収容部
４３  給水経路
４３１  第１給水路
４３２  第２給水路
４４  給水弁
５０  排水装置
５１  排水経路
５２  フィルタケース
５３  排水弁
５４  排水ダクト
５５  排水ホース
５６  リントフィルタ
５７  エアトラップ
５８  導圧パイプ
６１  水位センサ
６２  回転速度センサ
６３  電圧センサ
６４  加速度センサ
７０  循環経路
７１  循環ポンプ
８１  ヒートポンプユニット
８２  送風ファン
９０  回転軸
１００  制御装置
１０１  仕上げ剤投入制御部
１１０  洗濯物
【図１】
2019043972.tif 000003
【図２】
2019043972.tif 000004
【図３】
2019043972.tif 000005
【図４】
2019043972.tif 000006
【国際調査報告】
2019043972.tif 000007
2019043972.tif 000008